(57)【要約】【課題】撮像装置に設けたアンテナの送受信範囲を拡げる。【解決手段】撮像装置であって、筐体と、筐体の天面から突出して配された操作部と、操作部の内部に配された格納位置と、筐体から遠ざかる側に前記操作部から突出する突出位置との間を移動するアンテナとを備える。上記撮像装置において、筐体に格納され、アンテナに接続された電子回路と、アンテナが突出位置に移動した場合に電子回路が動作する状態にするスイッチとを更に備えてもよい。また、上記撮像装置において、撮像装置が動作する状態になった場合に、アンテナを突出位置に移動させるアクチュエータを更に備えてもよい。【選択図】図３
2010200031.tif 000002
【特許請求の範囲】
【請求項１】
筐体と、
前記筐体の天面から突出して配された操作部と、
前記操作部の内部に配された格納位置と、前記筐体から遠ざかる側に前記操作部から突出する突出位置との間を移動するアンテナと
を備える撮像装置。
【請求項２】
前記筐体に格納され、前記アンテナに接続された電子回路と、
前記アンテナが前記突出位置に移動した場合に前記電子回路が動作する状態にするスイッチと
を更に備える請求項１に記載の撮像装置。
【請求項３】
前記撮像装置が動作する状態になった場合に、前記アンテナを前記突出位置に移動させるアクチュエータを更に備える請求項１または請求項２に記載の撮像装置。
【請求項４】
前記アンテナが受信した信号の復調レベルが低下した場合に、前記アンテナを前記突出位置に移動させるべき旨を通知する警告部を更に備える請求項１から請求項３までのいずれかに記載の撮像装置。
【請求項５】
前記アンテナが受信した信号の復調レベルが低下した場合に、前記アンテナを前記突出位置に移動させるアクチュエータと
を更に備える請求項１から請求項４までのいずれかに記載の撮像装置。
【請求項６】
前記筐体の内部から発生した電磁波を、前記アンテナに対して遮蔽する遮蔽部材を更に備える請求項１から請求項５までのいずれかに記載の撮像装置。
【請求項７】
前記操作部が操作された場合に、前記操作部の回転の中心となる、前記アンテナの移動方向と平行な回転軸を更に備える請求項１から請求項６までのいずれかに記載の撮像装置。
【請求項８】
前記筐体の内部に向かって押し込まれた場合に撮像を開始させる他の操作部を、前記操作部の他に更に備える請求項１から請求項７までのいずれかに記載の撮像装置。
【請求項９】
前記アンテナは、前記突出位置にある場合に、前記天面に配された他の部材よりも前記筐体から遠ざかっている請求項１から請求項８までのいずれかに記載の撮像装置。
【発明の詳細な説明】
【技術分野】
【０００１】
本発明は、撮像装置に関する。
【背景技術】
【０００２】
無線信号を取り扱う撮像装置がある。下記の特許文献１には、特定の形状を有するカメラの上面において、他の用途に使用されていない領域に受信手段を設けることが記載されている。また、下記の特許文献２には、筐体に格納される第１状態と、筐体から突出する第２状態ととるアンテナ部を電子カメラに設けることが記載される。
【先行技術文献】
【特許文献】
【０００３】
【特許文献１】特開２００３−３１５８９０号公報
【特許文献２】特開２００７−１６６０７７号公報
【発明の概要】
【発明が解決しようとする課題】
【０００４】
しかしながら、特許文献１に記載の構造では、アンテナを傾斜した状態で設けるので、単一のアンテナでは受信できる範囲が制限される。また、特許文献２に記載の構造でも、撮像装置の上に配された他の操作部、構造物等により、受信できる範囲の一部が遮られる。
【課題を解決するための手段】
【０００５】
そこで、上記課題を解決すべく、本発明の第１の態様として、筐体と、筐体の天面から突出して配された操作部と、操作部の内部に配された格納位置と、筐体から遠ざかる側に前記操作部から突出する突出位置との間を移動するアンテナとを備える撮像装置が提供される。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】撮像装置１００全体の形状を示す斜視図である。
【図２】撮像装置１００の正面図である。
【図３】アンテナ部２００の突出位置を示す正面図である。
【図４】撮像装置１００の上面の一部を拡大して示す上面図である。
【図５】他の形態を有する撮像装置１００の正面図である。
【図６】昇降機構３００の動作の一段階を模式的に示す図である。
【図７】昇降機構３００の一部を拡大して示す図である。
【図８】昇降機構３００の動作における他の段階を模式的に示す図である。
【図９】昇降機構３００の動作におけるまた他の段階を模式的に示す図である。
【図１０】昇降機構３００の動作における更に他の段階を模式的に示す図である。
【図１１】撮像装置１００の他の構造を模式的に示すブロック図である。
【図１２】撮像装置１００のまた他の構造を模式的に示すブロック図である。
【図１３】撮像装置１００の更に他の構造を模式的に示すブロック図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
以下、発明の実施の形態を通じて本発明を説明する。しかしながら、以下の実施形態は特許請求の範囲に係る発明を限定するものではない。また、実施形態の中で説明されている特徴の組み合わせの全てが発明の解決手段に必須であるとは限らない。
【００１０】
図１は、撮像装置１００全体の形状を示す斜視図である。撮像装置１００は、筐体１１０と、筐体１１０の前面に配されたレンズ１２０およびファインダ１３０とを備える。また、筐体１１０の天面に配されたシャッタボタン１４０、電源スイッチ１５０、ズームレバー１６０、モードダイヤル１７０およびコマンドダイヤル１７２等の操作部材並びにアクセサリシュー１８０および起立式閃光装置１９０等の機能部材を備える。
【００１１】
筐体１１０は、図上の左側端部は厚さを増してグリップを形成する。筐体１１０は、金属または樹脂若しくはそれらの混合材料により形成されるが、樹脂等により形成された場合でも、内面に塗布された導電性塗料により、外部に対して電磁的に遮蔽される。これにより、外部からのノイズの影響を遮断すると共に、外部への不要輻射を抑制している。
【００１２】
レンズ１２０は沈胴式で、図示の状態では筐体１１０の内部に鏡筒が格納されている。ファインダ１３０は、対物側の開口であり、筐体１１０裏面の対応する位置に接眼窓が配される。
【００１３】
筐体１１０の天面には多くの部材が配されるが、操作部材は主に図中の左側に集まっている。電源スイッチ１５０は、この撮像装置１００を撮影できる状態に遷移させる。このため、電源スイッチ１５０が投入された場合は、レンズ１２０も筐体１１０から前方に突出する。
【００１４】
シャッタボタン１４０は、電源スイッチ１５０が投入された状態で、筐体１１０の内部に向かって押し込まれた場合に、シャッタを開いてイメージセンサにより画像を記録させる。ズームレバー１６０は、シャッタボタン１４０の直前に配され、撮影を待機するユーザが、撮影範囲を容易に調節できる。
【００１５】
モードダイヤル１７０は、撮像装置１００の動作モードを選択して設定する。コマンドダイヤル１７２は、撮像装置１００に対してパラメータの増減等を指示する場合に使用される。更に、モードダイヤル１７０の内側にはアンテナ部２００が配される。
【００１６】
アクセサリシュー１８０は、光量の大きなクリップオンストロボ、水平器等のアクセサリを装着する場合に用いられる。図示は省いたが、装着したアクセサリと信号を遣り取りする場合の接点も備える。
【００１７】
起立式閃光装置１９０は、使用しない場合は筐体１１０に格納されているが、使用する場合は、筐体１１０から突出して閃光部をレンズ１２０から遠ざける。このように、筐体１１０の天面には多くの部材が配され、空いている領域は少ない。
【００１８】
図２は、撮像装置１００の正面図である。図示のように、モードダイヤル１７０は、コマンドダイヤル１７２、シャッタボタン１４０、ズームレバー１６０、アクセサリシュー１８０および起立式閃光装置１９０等の他の部材に対して高く、筐体１１０の天面からより大きく突出する。
【００１９】
モードダイヤル１７０は、設定したモードが不用意に変わらないように、操作に高い操作力が求められる。しかしながら、モードダイヤル１７０は、他の操作部材よりも天面から大きく突出しているので、大きな操作力をかけ易い。一方、コマンドダイヤル１７２の操作力は、モードダイヤル１７０の操作力よりも低いので、コマンドダイヤル１７２の高さはモードダイヤル１７０よりも低い。
【００２０】
図３は、アンテナ部２００の突出位置を示す正面図である。図２に示した状態と比較すると、アンテナ部２００がモードダイヤル１７０の上面から上方突出している。このように、アンテナ部２００は、モードダイヤル１７０の内部に格納された位置と、モードダイヤル１７０の上方に突出した位置との間を変位する。
【００２１】
図２を参照して既に説明したように、モードダイヤル１７０は、他の操作部材に比較すると高く突出して天面から離れている。アンテナ部２００は、そのモードダイヤル１７０から更に上方に突出するので、アンテナ部２００の側方周囲に他の部材は存在しない。従って、アンテナ部２００が送信または受信する無線信号が、筐体１１０の天面に配された他の部材に遮られることがない。
【００２２】
図４は、撮像装置１００の上面の一部を拡大して示す上面図である。図４は、撮像装置１００の天面におけるモードダイヤル１７０の周辺を拡大して示す。図示のように、アンテナ部２００は、モードダイヤル１７０の外径よりも小さな外径を有して、モードダイヤル１７０自体の天面が、環状に残っている。
【００２３】
これにより、モードダイヤル１７０で設定できる各種のモードを、文字または記号によりモードダイヤル１７０自体に表示できる。また、アンテナ部２００を上昇させた状態でもモードダイヤル１７０を操作することができる。モードダイヤル１７０は、アンテナ部２００と共通の中心を軸として回転させることにより操作される。
【００２４】
図５は、他の形態を有する撮像装置１００の正面図である。この撮像装置１００も、筐体１１０の前面にレンズ１２０を有する。また、筐体１１０の天面には、シャッタボタン１４０、ズームレバー１６０、モードダイヤル１７０等を備える。更に、モードダイヤル１７０の内側には、アンテナ部２００を備える。
【００２５】
この撮像装置１００では、突出位置にあるアンテナ部２００は、長いステム２１２を有して、モードダイヤル１７０の上面よりも更に高く上昇している。これにより、アンテナ部２００は、電子ファインダを格納した天面の隆起部１１１よりも更に筐体１１０から離れた位置まで上昇する。従って、隆起部１１１にも遮られることなく、広い範囲から無線信号を受信し、あるいは発信することができる。
【００２６】
図６は、アンテナ部２００を昇降させる昇降機構３００の動作の一段階を模式的に示す図である。図６（Ａ）に示すように、略円盤状のモードダイヤル１７０の内側に、アンテナ本体２２０を収容したアンテナケースが収容される。アンテナケース２１０の下面からは、細いステム２１２が下方に延在する。なお、図６は、アンテナ部２００が格納された状態を示す。
【００２７】
ステム２１２には、アンテナ本体２２０に一端を接続された同軸ケーブル２４０が挿通される。同軸ケーブル２４０の他端は、モードダイヤル１７０よりも下方において、ステム２１２の側面から取り出される。これにより、アンテナ本体２２０と、筐体１１０内部の電子回路とが接続される。また、アンテナ本体２２０は、遮蔽板２３０を介して実装される。これにより、アンテナ本体２２０は、筐体１１０の内部に対して遮蔽される。
【００２８】
ステム２１２の下端は、後述する回転駒３１０の上端に当接する。また、ステム２１２の下端面は、アンテナケース２１０が上方から押された場合に回転駒３１０を回転させる複数の斜面２５０を有する。斜面２５０において、傾斜の異なる面の境界は、ステム２１２の中心に対して放射状に形成される。昇降機構３００は、ステム２１２の下端近傍に形成される。
【００２９】
昇降機構３００は、回転駒３１０および固定環３２０を含む。回転駒３１０は、ステム２１２と同軸に回転自在に装着され、その上端をステム２１２の下端に当接させる。回転駒３１０の上端面には、斜面２５０と相補的な形状の回転斜面３１４が形成される。また、回転駒３１０の下端面は、コイルばね３３０により上方に向かって付勢される。
【００３０】
また、回転駒３１０の側面には、回転駒３１０の長手方向に延在する案内リブ３１２が配される。案内リブ３１２の上端面は、案内リブ３１２の周方向に高さが変化する斜面をなす。ステム２１２の下端近傍および回転駒３１０の上端近傍の周囲には、ステム２１２および回転駒３１０と同軸の固定環３２０が配される。
【００３１】
図６（Ｂ）に示すように、固定環３２０は、筐体１１０に対して固定される。また、固定環３２０は、回転駒３１０の案内リブ３１２と相補的な形状を有して、且つ、下端が開口する降下位置用係止溝３２２および上昇位置用係止溝３２４を有する。また、降下位置用係止溝３２２および上昇位置用係止溝３２４の間には、それぞれ案内斜面３２６が形成される。
【００３２】
ここで、上昇位置用係止溝３２４の上端は、降下位置用係止溝３２２の上端よりも高い位置にある。従って、案内リブ３１２が入り込んだ場合、上昇位置用係止溝３２４にはより深く進入する。
【００３３】
図６（Ｃ）に示すように、案内リブ３１２は、回転駒３１０の周面に、等間隔に複数設けられる。図７は、図６（Ｃ）を拡大して、アンテナ部２００の昇降機構３００の一部を模式的に示す図である。
【００３４】
図示のように、降下位置用係止溝３２２および上昇位置用係止溝３２４も、それぞれ、案内リブ３１２と同じ間隔で、固定環３２０の内周面に複数設けられる。更に、降下位置用係止溝３２２および上昇位置用係止溝３２４は交互に配され、それぞれの間に案内斜面３２６が配される。
【００３５】
図８は、昇降機構３００の動作における他の段階を模式的に示す図である。図６に示した状態からアンテナケース２１０が下方に向かって押し込まれた場合、図８（Ａ）に示すように、回転駒３１０もコイルばね３３０の付勢に逆らって降下する。この降下により、図８（Ｂ）に示すように、やがて、案内リブ３１２は、降下位置用係止溝３２２から下方に抜け出る。
【００３６】
これにより、回転駒３１０は回転自在な状態となるので、アンテナケース２１０の斜面２５０に沿って回転斜面３１４を滑らせる。従って、図８（Ｃ）に示すように、案内リブ３１２が案内斜面３２６に向かって移動するように、回転駒３１０が回転する。
【００３７】
図９は、昇降機構３００の動作における他の段階を模式的に示す図である。図８に示した状態から、アンテナケース２１０が押し込み力から開放されると、図９（Ａ）に示すように、回転駒３１０は、コイルばね３３０により押し上げられる。
【００３８】
これにより、図９（Ｂ）に示すように、案内リブ３１２の上端は、固定環３２０の案内斜面３２６に下方から押しつけられ、図９（Ｃ）に示すように、案内斜面３２６の傾斜に沿って回転する。従って、案内リブ３１２は、上昇位置用係止溝３２４に向かって接近する。
【００３９】
図１０は、アンテナ部２００を昇降させる昇降機構３００の動作における更に他の段階を模式的に示す図である。図８に示した状態から、コイルばね３３０の付勢によりアンテナケース２１０が更に上昇すると、図１０（Ｃ）に示すように、回転駒３１０の案内リブ３１２は、上昇位置用係止溝３２４の内部に入り込み、図１０（Ｂ）に示すように、上昇位置用係止溝３２４に沿って上昇する。
【００４０】
上昇位置用係止溝３２４は、降下位置用係止溝３２２よりも上方まで延在するので、回転駒３１０は、より高い位置に係止される。これにより、アンテナケース２１０も、回転駒３１０に押し上げられて、モードダイヤル１７０よりも上方に上昇してその位置に止まる。
【００４１】
なお、既に上昇して突出位置にあるアンテナケース２１０の上面が押し込まれた場合は、図６から図１０までを参照した上記の一連の動作と同様の動作により、案内リブ３１２が、上昇位置用係止溝３２４から降下位置用係止溝３２２に移動する。従って、この場合は、押し込み操作から開放されたアンテナケース２１０は格納位置に止まる。以下、これを繰り返すことにより、アンテナ部２００がモードダイヤル１７０に格納された位置と、モードダイヤル１７０から突出した位置とをとらせることができる。
【００４２】
なお、アンテナケース２１０は、アンテナ本体２２０の特性に影響を与えることがない材料、例えば、非導電性の樹脂により形成されることが好ましい。また、アンテナ本体２２０の近傍に位置するモードダイヤル１７０も、同様の材料を用いることが好ましいが、逆に、モードダイヤル１７０を導電性材料により形成して、アンテナ本体２２０のエレメントの一部としてもよい。
【００４３】
図１１は、撮像装置１００の他の構造を模式的に示すブロック図である。図示のように、撮像装置１００は、筐体１１０に収容された電源１１２、スイッチ１１４および受信部１１６を備える。
【００４４】
受信部１１６は、スイッチ１１４を介して電源１１２から供給された電力により動作する。また、受信部１１６は、同軸ケーブル２４０を介してアンテナ本体２２０に結合される。これにより、受信部１１６は、アンテナ本体２２０を受信アンテナとして受信動作をする。
【００４５】
また、この撮像装置１００は、アンテナケース２１０のステム２１２に設けられた指標２６２と、指標２６２を検出することにより、アンテナ部２００が突出位置に移動したことを検出するセンサ２６０とを備える。センサ２６０は、アンテナ部２００が突出位置に移動した場合に、スイッチ１１４を投入して受信部１１６を動作させる。このような構造により、アンテナ部２００を上昇させる操作と、受信部１１６を動作させる操作とを１操作で実行できる。
【００４６】
なお、センサ２６０としては、光センサ、磁気センサ、リードスイッチ等を任意に選択できる。また、指標２６２の材料は、上記センサに対応して、反射鏡、検出孔、磁性体等を選択できる。
【００４７】
図１２は、撮像装置１００のまた他の構造を模式的に示すブロック図である。図示のように、この撮像装置１００は、昇降機構３００に換えて、アンテナケース２１０を昇降させるアクチュエータ２７０を備える。アクチュエータ２７０は、電気的な制御により、アンテナ部２００を突出位置と格納位置との間で移動させることができる。従って、例えば、撮像装置１００の電源スイッチ１５０が投入された場合に、アンテナ部２００を自動的に上昇させることができる。
【００４８】
なお、アクチュエータ２７０は、電気モータ等を用いた可逆的な動作する構造に限られるものではない。例えば、アンテナケース２１０を突出位置に向かって付勢する付勢部材と、アンテナケース２１０を格納位置にとどめるラッチと、ラッチを開放するアクチュエータとを組み合わせた構造でも、撮像装置１００による電気的な制御で、アンテナ部２００を突出位置に移動させることができる。ただし、格納する場合は、ユーザの手動による。
【００４９】
図１３は、撮像装置１００の更に他の構造を模式的に示すブロック図である。この撮像装置１００も、アンテナ部２００を昇降させるアクチュエータ２７０を備える。また、撮像装置１００は、筐体１１０に収容された受信部１１６および警報部１１８を備える。
【００５０】
即ち、アンテナ部２００による受信状態は、アンテナ部２００の状態に限って依存するものではなく、環境雑音の上昇、マルチパスの増加等、周囲の状況にも依存する。従って、アンテナ部２００を利用する受信部１１６における復調レベルが低下した場合に、アンテナ部２００を昇降させて、受信状態を改善できる場合がある。
【００５１】
そこで、受信部１１６において復調レベルが低下した場合は、警報部１１８によりアンテナ部２００を操作すべき旨の警報を発生させることができる。警報部１１８は、例えば、撮像装置１００の表示部にその旨の警報を文字、記号等により表示してもよい。また、警報は、警報音、音声等により発生してもよい。
【００５２】
また、アンテナ部２００を昇降させるアクチュエータ２７０を備えた撮像装置１００では、アクチュエータ２７０を動作させて、アンテナ部２００を適切な状態に変化させてもよい。なお、マルチパスの激しい環境では、アンテナ部２００の指向性を強くした方が動作が安定する場合がある。このような場合、アンテナ部２００を積極的に格納位置に移動させるように制御または指示してもよい。
【００５３】
なお、モードダイヤル１７０にアンテナを組み込んだ例についてここまで説明したが、他の操作部材、例えば、コマンドダイヤル１７２にアンテナ部２００を組み込んでもよい。ただし、アンテナ部２００の機能に鑑みて、筐体１１０からより離れた位置に配置し易いモードダイヤル１７０にアンテナ部２００を組み込むことが好ましい。また、シャッタボタン１４０のように、当初から押す操作が想定されているものにアンテナ部２００を組み込むことは好ましくない。
【００５４】
また、上記の一連の形態では、測地信号を受信するＧＰＳ（全地球測位システム）のように、無線信号を専ら受信する場合を例に挙げて説明した。しかしながら、アンテナ部２００の用途はこれに限定されない。
【００５５】
即ち、ワイヤレスＬＡＮ、ワイヤレスＵＳＢ、ブルートゥース、リモコン等、撮像装置を対象とした無線信号の利用には多くの種類があり、上記の構造はそのいずれに対しても有効な効果を有する。また、アンテナ部２００を、無線信号の送信に利用する場合にも同様に効果を発揮する。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず」、「次に」等を用いて説明したとしても、この順で実施することが必須であることを意味するものではない。
【符号の説明】
【００５８】
１００  撮像装置、１１０  筐体、１１１  隆起部、１１２  電源、１１４  スイッチ、１１６  受信部、１１８  警報部、１２０  レンズ、１３０  ファインダ、１４０  シャッタボタン、１５０  電源スイッチ、１６０  ズームレバー、１７０  モードダイヤル、１７２  コマンドダイヤル、１８０  アクセサリシュー、１９０  起立式閃光装置、２００  アンテナ部、２１０  アンテナケース、２１２  ステム、２２０  アンテナ本体、２３０  遮蔽板、２４０  同軸ケーブル、２５０  斜面、２６０  センサ、２６２  指標、２７０  アクチュエータ、３００  昇降機構、３１０  回転駒、３１２  案内リブ、３１４  回転斜面、３２０  固定環、３２２  降下位置用係止溝、３２４  上昇位置用係止溝、３２６  案内斜面、３３０  コイルばね
【図１】
2010200031.tif 000003
【図２】
2010200031.tif 000004
【図３】
2010200031.tif 000005
【図４】
2010200031.tif 000006
【図５】
2010200031.tif 000007
【図６】
2010200031.tif 000008
【図７】
2010200031.tif 000009
【図８】
2010200031.tif 000010
【図９】
2010200031.tif 000011
【図１０】
2010200031.tif 000012
【図１１】
2010200031.tif 000013
【図１２】
2010200031.tif 000014
【図１３】
2010200031.tif 000015